(57)【要約】      （修正有）【課題】高齢者が積雪期に雪道で使用することができる歩行を補助するシルバー用橇を提供する。【解決手段】シルバー用橇は、進行方向の前面を湾曲面６に形成した上方開口箱形の容器本体１と、該容器本体１の底部に２列並行して設けた前方支持脚２及び後方支持脚３とを有する。また、前記前方支持脚２及び後方支持脚３をそれぞれ固定し、板幅が前記容器本体１の側壁より外側へはみ出すように形成し、板長さが先端をカーブ面７とし前記湾曲面６に一致させ、後端を前記容器本体１の後面よりはみ出すように橇４を形成する。さらに、前記容器本体１の後方に斜め上向き角度に取り付けられた、両手で握るハンドル部を毛糸の手袋が滑らないように凹凸のあるゴムカバー８を巻いたＵ字形状の取手５とから構成される。【選択図】図１
0003175449.tif 000002
【実用新案登録請求の範囲】
【請求項１】
上方開口箱形の容器本体と、該容器本体の底部に２列並行して設けた前方支持脚及び後方支持脚と、前記前方支持脚及び後方支持脚をそれぞれ固定した橇と、前記容器本体の後方に斜め上向き角度に取り付けられたＵ字形状の取手とから構成されることを特徴とするシルバー用橇。
【請求項２】
前記容器本体は、プラスチック製で、物品を収納できる上方開口箱形の進行方向の前面を湾曲面に形成し、雪道の雪塊を乗り越えられることを特徴とする請求項１記載のシルバー用橇。
【請求項３】
前記橇は、プラスチック製板で、板幅が前記容器本体１の側壁より外側へはみ出すように形成し、板長さが先端をカーブ面とし前記湾曲面に一致させ、後端を前記容器本体の後面よりはみ出すように形成することを特徴とする請求項１記載のシルバー用橇。
【請求項４】
前記取手は、プラスチック製Ｕ字形状で、Ｕ字形状の両端を前記容器本体の両側面の後方に高齢者が体重を掛けてもひっくり返らないように斜め上向きに角度をつけて取り付け、両手で握るハンドル部は毛糸の手袋が滑らないように凹凸のあるゴムカバーを巻くことを特徴とする請求項１記載のシルバー用橇。
【考案の詳細な説明】
【技術分野】
【０００１】
本考案は、高齢者が積雪期に雪道で使用することができる歩行を補助するシルバー用橇に関する。
【背景技術】
【０００２】
春から秋まで杖で歩いていた高齢者が冬は積雪のため歩行困難となり、外出が出来なくなって、特に一人生活の人はコミュニケーションができなくなり、春になって逢って声をかけてみたら認知症になっておりました。
このことにより、少しの時間でも外出ができたら、認知症も先延ばしに出来たのではなかったかなと考えました。
従来、高齢者の歩行を補助する器具として手押車がありますが、これを雪道でも歩行可能にするソリ付き手押車が知られている（特許文献１を参照）。
この公知技術は、手押車に車輪より高い位置にソリを備え、ソリの高さが調整可能に構成されていて、雪道と雪の積もっていない路面とが混在している場合であっても、歩行が可能になり、またソリを取り外し可能にすることにより、冬期以外は普通の手押車として使用することが可能になるソリ付き手押車である。
しかし、このソリ付き手押車は、雪道では車輪がブレーキとして働き、実用には適さないものであった。
【先行技術文献】
【特許文献】
【０００３】
【特許文献１】実用新案登録第３０７１１３１号公報
【考案の概要】
【考案が解決しようとする課題】
【０００４】
本考案は、高齢者が積雪期に雪道で使用することができる歩行を補助するシルバー用橇を提供することを目的とする。
【課題を解決するための手段】
【０００５】
本考案のシルバー用橇は、上方開口箱形の容器本体と、該容器本体の底部に２列並行して設けた前方支持脚及び後方支持脚と、前記前方支持脚及び後方支持脚をそれぞれ固定した橇と、前記容器本体の後方に斜め上向き角度に取り付けられたＵ字形状の取手とから構成されるものである。
【考案の効果】
【０００６】
本考案のシルバー用橇は、上方開口箱形の容器本体と、該容器本体の底部に２列並行して設けた前方支持脚及び後方支持脚と、前記前方支持脚及び後方支持脚をそれぞれ固定した橇と、前記容器本体の後方に斜め上向き角度に取り付けられたＵ字形状の取手とから構成されるため、高齢者が積雪期に雪道で使用することができると共に、全体がプラスチック製であるため軽量であり、また水分を含むことがないため屋外に置いても問題を生じない。
【図面の簡単な説明】
【０００７】
【図１】本考案のシルバー用橇の斜視図である。
【図２】本考案のシルバー用橇の正面図である。
【図３】本考案のシルバー用橇の一部を省略した背面図である。
【考案を実施するための形態】
【０００８】
本考案のシルバー用橇の一実施例を添付図面に基づいて、以下に説明する。
図１の斜視図に示すように、本考案のシルバー用橇は、上方開口箱形の容器本体１と、該容器本体１の底部に２列並行して設けた前方支持脚２及び後方支持脚３と、前記前方支持脚２及び後方支持脚３をそれぞれ固定した橇４と、前記容器本体１の後方に斜め上向き角度に取り付けられたＵ字形状の取手５とから構成される。
【０００９】
前記容器本体１は、プラスチック製で、物品を収納できる上方開口箱形の進行方向の前面を湾曲面６に形成し、雪道の雪塊を乗り越えられるようにする。
【００１０】
前記前方支持脚２及び後方支持脚３は、プラスチック製で前記容器本体１と一体に形成すると良いし、前記容器本体１の底部の前後に２列間隔を置いて並行して設け、図２の正面図に示すように、脚高さはそれ程高くなくても良い。
【００１１】
前記橇４は、プラスチック製板で、図３の背面図に示すように、板幅が前記容器本体１の側壁より外側へはみ出すように形成し、図１に示すように、板長さが先端をカーブ面７とし前記湾曲面６に一致させ、後端を前記容器本体１の後面よりはみ出すように形成する。
【００１２】
前記取手５は、プラスチック製Ｕ字形状で、Ｕ字形状の両端を前記容器本体１の両側面の後方に高齢者が体重を掛けてもひっくり返らないように斜め上向きに角度をつけて取り付け、両手で握るハンドル部は毛糸の手袋が滑らないように凹凸のあるゴムカバー８を巻く。
【００１３】
次に、本考案のシルバー用橇の操作動作を添付図面に基づいて、以下に説明する。
図１に示す本考案のシルバー用橇を使用する際は、容器本体１内に何も載せていない軽い状態でも前記容器本体１が横に転倒しないように、前記橇４は板幅が前記容器本体１の側壁より外側へはみ出すように形成しているし、また取手５に体重が少し掛かってもひっくり返らないように後端を前記容器本体１の後面よりはみ出すように形成している。
高齢者は雪道を前記取手５のゴムカバー８を握り、少し前方へ体重を掛けながら進むことが出来る。途中に雪塊があっても、前記橇４のカーブ面７や容器本体１の湾曲面６で乗り越えて進むことが出来る。
また、前記容器本体１内には物品を収納できるため、買い物等の荷物の運搬にも不便を感じることもない。
【００１４】
このように、本考案のシルバー用橇は、全体がプラスチック製であるため軽量であり、また水分を含むことがないため屋外に置いても問題を生じない。したがって、外出の際に出し入れをしなくとも良いので簡便に使用することが出来る。
【符号の説明】
【００１５】
１  容器本体
２  前方支持脚
３  後方支持脚
４  橇
５  取手
６  湾曲面
７  カーブ面
８  ゴムカバー
【図１】
0003175449.tif 000003
【図２】
0003175449.tif 000004
【図３】
0003175449.tif 000005